(57)【要約】【課題】  揚重機を使用することなく簡便に長尺重量物を狭隘な箇所にても搬送することができるようにする。【解決手段】  被搬送長尺重量物を搬送するに際し、その先端部には下部にローラ１３を付設されてその被搬送物１に着脱可能な走行支持手段１０を、また被搬送物１の後部には上側で運搬産業車両（フォークリフト６５）の荷支持部と係合して操作できる着脱可能な後部支持手段２０を、それぞれ装着して、被搬送物１の先端が接地しない状態に前記後部支持手段２０を運搬産業車両の荷支持部で持ち上げて移動させ、所定位置に送り込んだ後、前記後部支持手段２０を介して被搬送物１の後部を持ち上げて前記走行支持手段１０を取り外し、被搬送物１が着床後に後部支持手段２０を取り外すようにする。【選択図】  図１
2005075580.tif 000002
【特許請求の範囲】
【請求項１】
被搬送長尺重量物を搬送するに際し、その先端部には下部にローラを付設されてその被搬送物に着脱可能な走行支持手段を、また被搬送物の後部には上側で運搬産業車両の荷支持部と係合して操作できる着脱可能な後部支持手段を、それぞれ装着して、被搬送物の先端が接地しない状態に前記後部支持手段を運搬産業車両の荷支持部で持ち上げて移動させ、所定位置に送り込んだ後、前記後部支持手段を介して被搬送物後部を持ち上げて前記走行支持手段を取り外し、被搬送物が着床後に後部支持手段を取り外すようにすることを特徴とする狭隘部への長尺部材の搬送方法。
【請求項２】
被搬送長尺重量物をドライコンテナに収容するに際し、被搬送物をフォークリフトで運んでその先端部を前記コンテナの開口部に仮預けして、前記先端部に、下部にローラを付設された走行支持手段を着脱可能に装着し、また被搬送物の後部に後部支持手段を着脱可能に取り付けて、その後部支持手段に前記フォークリフトの荷支持部を係合させて前記走行支持手段で被搬送物の前部を支持案内させてコンテナ内部の所定位置まで送り込み、そのまま被搬送物後部を持ち上げて前記走行支持手段を取り外し、被搬送物を着床させた後に後部支持手段を取り外すようにすることを特徴とする狭隘部への長尺部材の搬送方法。
【請求項３】
前記走行支持手段は操舵性を持たせ、走行時に外部から操作して移動方向の調整を行わせるようにする請求項１または２に記載の狭隘部への長尺部材の搬送方法。
【請求項４】
被搬送物の先端部に着脱可能に装着できる下部にローラを備える走行支持手段と、被搬送物の後部に着脱可能に装着できて上部に運搬産業車両の荷支持部と係合する係合装着部を備える後部支持手段とで構成されていることを特徴とする狭隘部への長尺部材の搬送に用いる治具。
【請求項５】
前記走行支持手段は、下部に複数の回転ローラを備える走行部材とその上側に配される受部材とが中心部で水平回動可能に結合されてなる走行支持機構と、この走行支持機構の上部に連結されて被搬送物を抱えて上側で固定金具にて着脱可能に装着する取付フレームとで構成される請求項４に記載の狭隘部への長尺部材の搬送に用いる治具。
【請求項６】
前記走行支持手段は、下部に複数の回転ローラを備える走行部材の上側に配される受部材に、被搬送物を保持する搬送ラックの下部部材と係合して保持できる係合支持部を備えている請求項４に記載の狭隘部への長尺部材の搬送に用いる治具。
【請求項７】
前記走行支持手段には、その下部の走行部材に外部から走行方向を操作できる操舵レバーの装着部が設けてある請求項５または６に記載の狭隘部への長尺部材の搬送に用いる治具。
【請求項８】
前記後部支持手段は、被搬送物を抱持する着脱可能な取付フレームと、その取付フレームの上側でピン連結されて上部にフォークリフトのフォーク係合部が形成されてなる支持フレームとで構成されている請求項４に記載の狭隘部への長尺部材の搬送に用いる治具。
【発明の詳細な説明】
【技術分野】
【０００１】
本発明は、主として加工された長尺部材を、クレーンなどの揚重機を使用することなく狭隘な箇所に搬入または搬出することが容易に行える狭隘部への長尺部材の搬送方法およびそれに用いる治具に関するものである。
【背景技術】
【０００２】
従来、例えば長尺で人手によって動かすことが困難な重量物を取り扱う場合、特にクレーンなど吊り上げ作業を行う荷役機械が使用されない場所に運搬するには、その物品を荷受する場所でクレーンなどの荷役機械（揚重機）を用いて運搬台車に搭載し、これを牽引車によって目的場所に移動させるというような手段が採用されている。その一例として、長尺物の一端部を支持する牽引車と他端部を支持する運搬用台車とを用いて運ぶ手段が特許文献１によって知られている。また、長尺物の一端を運搬台車に支持させて、他端部を電動ハンドリフトにて支持して搬送する手段が特許文献２によって知られている。
【０００３】
また、例えば加工された製品で長尺の重量物を輸送のためにドライコンテナ（シーコンテナ）に収める場合、物品そのものを直接的に搬入する方式では、クレーンのような吊荷を扱う装置でコンテナ内部に搬入することができない。そのために、スキッド上に前記製品を搭載して荷造り（梱包）したものを、コンテナ外部からコロなどを使用して押し込むような手段を講じ、コンテナに収容して輸送する方法が多く採用されている。
【０００４】
【特許文献１】特開２０００−１０８７７６号公報
【特許文献２】特開２０００−２５６１８号公報
【発明の開示】
【発明が解決しようとする課題】
【０００５】
しかしながら、前記特許文献１によって開示されている長尺重量物の輸送用台車では、その運搬対象となる長尺重量物を牽引車と輸送用台車とに搭載するために、クレーンなどの揚重機が必要になる。もちろん、荷降ろし箇所においても同様であり、運搬途中においてのみ有効であって、荷降ろしするときには必ず揚重機が準備されている場所でないと荷降ろし作業ができないという問題点がある。また、この種の運搬手段では、牽引車が先導することから、狭隘な箇所に運搬物を運び込むことができないという問題がある。
【０００６】
また、前記特許文献２によって知られる運搬手段では、前記同様に運搬用台車やハンドリフトに長尺重量物を載せる準備に揚重機を必要とする。したがって、前記特許文献１の場合と同様な問題点を有し、狭隘な箇所での荷扱いはできないものである。
【０００７】
一方、前記加工された長尺重量物のコンテナへの搭載作業では、必ず梱包する必要があるために、その梱包によって製品の容積寸法以上のスペースを必要とする。しかも、その梱包された製品をコンテナ内に搬入するには揚重機を利用しない場合、地面からコンテナ内床面までの段差を搬入に際して作業を容易にするために、スロープを形成するという準備手段が必要である。また、前述のように梱包に伴う収容スペースの増大によって、その輸送する製品が梱包を省略しても問題のない、例えば鉄構製品，機械部品のような場合には、梱包に要する費用ならびに収容スペースの増加によって必要以上のサイズのコンテナを使用することによる輸送費の増加など、過剰に費用が嵩むという問題点がある。
【０００８】
本発明は、このような問題点を解消するためになされたもので、治具を目的の搬送物における前後に着脱可能に取り付けて、フォークリフトを移動の駆動源に使用することにより、揚重機を使用することなく簡便に長尺重量物を狭隘な箇所にても搬送することができる、狭隘部への長尺部材の搬送方法およびそれに用いる治具を提供することを目的とするものである。
【課題を解決するための手段】
【０００９】
前記目的を達成するために、第１発明による狭隘部への長尺部材の搬送方法は、
被搬送長尺重量物を搬送するに際し、その先端部には下部にローラを付設されてその被搬送物に着脱可能な走行支持手段を、また被搬送物の後部には上側で運搬産業車両の荷支持部と係合して操作できる着脱可能な後部支持手段を、それぞれ装着して、被搬送物の先端が接地しない状態に前記後部支持手段を運搬産業車両の荷支持部で持ち上げて移動させ、所定位置に送り込んだ後、前記後部支持手段を介して被搬送物後部を持ち上げて前記走行支持手段を取り外し、被搬送物が着床後に後部支持手段を取り外すようにすることを特徴とするものである。
【００１０】
第２発明においては、被搬送長尺重量物をドライコンテナに収容するに際し、被搬送物をフォークリフトで運んでその先端部を前記コンテナの開口部に仮預けして、前記先端部に、下部にローラを付設された走行支持手段を着脱可能に装着し、また被搬送物の後部に後部支持手段を着脱可能に取り付けて、その後部支持手段に前記フォークリフトの荷支持部を係合させて前記走行支持手段で被搬送物の前部を支持案内させてコンテナ内部の所定位置まで送り込み、そのまま被搬送物後部を持ち上げて前記走行支持手段を取り外し、被搬送物を着床させた後に後部支持手段を取り外すようにすることを特徴とするものである。
【００１１】
前記第１発明または第２発明において、前記走行支持手段は操舵性を持たせ、走行時に外部から操作して移動方向の調整を行わせるようにするのがよい（第３発明）。
【００１２】
次に、第４発明による狭隘部への長尺部材の搬送方法に用いる治具は、
被搬送物の先端部に着脱可能に装着できる下部にローラを備える走行支持手段と、被搬送物の後部に着脱可能に装着できて所要位置に運搬産業車両の荷支持部と係合する係合装着部を備える後部支持手段とで構成されていることを特徴とするものである。
【００１３】
前記第４発明において、前記走行支持手段は、下部に複数の回転ローラを備える走行部材とその上側に配される受部材とが中心部で水平回動可能に結合されてなる走行支持機構と、この走行支持機構の上部に連結されて被搬送物を抱えて上側で固定金具にて着脱可能に装着する取付フレームとで構成されるのがよい（第５発明）。
【００１４】
また、前記第４発明において、前記走行支持手段は、下部に複数の回転ローラを備える走行部材の上側に配される受部材に、被搬送物を保持する搬送ラックの下部部材と係合して保持できる係合支持部を備えているのがよい（第６発明）。
【００１５】
また、第５発明または第６発明において、前記走行支持手段には、その下部の走行部材に外部から走行方向を操作できる操舵レバーの装着部が設けてあるのが好ましい（第７発明）。
【００１６】
前記第４発明において、前記後部支持手段は、被搬送物を抱持する着脱可能な取付フレームと、その取付フレームの上側でピン連結されて上部にフォークリフトのフォーク係合部が形成されてなる支持フレームとで構成されているのがよい（第８発明）。
【発明の効果】
【００１７】
第１発明の狭隘部への長尺部材の搬送方法によれば、被搬送物の先端部にローラを備えた走行支持手段を、また、後部に後部支持手段をそれぞれ取り付けて、その後部支持手段の適所を運搬産業車両の荷支持部で持ち上げ、被搬送物の先端が接地しない状態で移動させれば、長尺物であるにもかかわらず揚重機を用いることなく搬送を容易に行うことができる。また、前部および後部に取り付ける支持手段は、いずれも着脱可能なものであるから、被搬送物の上下の姿勢を変えることで着脱でき、搬送時から搬送後での被搬送物の着床・搬送準備の作業を運搬産業車両（例えばフォークリフト）のみで処理することができる。その結果、狭い場所に移動させる操作がクレーンなどの揚重機を使用せずに無理なく搬送作業が行えるという効果を奏するのである。
【００１８】
第２発明によれば、長尺の被搬送物をドライコンテナ（シーコンテナともいわれる）のように開口部が一方向のみのものに収容するのに、その被搬送物をフォークリフトで運んで先端部を仮預けすれば、被搬送物の先端部に取り付けたローラ付の走行支持手段で案内支持させ、後部に取り付けた後部支持手段をフォークリフトで持ち上げて前進させることにより、地面からコンテナの開口部への段差の有無にかかわらず、揚重機を用いることなく被搬送物をコンテナ内部に送り込んで収容することができる。したがって、梱包を要しない長尺の重量物製品の場合、被搬送物のコンテナへの収容スペースを最小限にして収容量を多くすることができ、従来梱包しないと収容作業が困難なために要していた梱包費や収容に際してのコンテナ容量の増加分が削減でき、輸送費用を著しく低減できるという効果を奏するのである。
【００１９】
また、第３発明によれば、長尺物を移動させるのに伴う方向変換，幅寄せなどの操縦性を高めることで、狭隘な箇所への移動を容易にし、搬送作業を合理化できるという効果が得られる。もちろん、作業性も向上させることができる。
【００２０】
第４発明によれば、長尺重量物の被搬送物を搬送する用具（治具）として、その先端部には下部にローラを備える走行支持手段を、後部には運搬産業車両によって操作できる後部支持手段を、それぞれ着脱可能に取り付けることで、後部支持手段を運搬産業車両によって持ち上げて、先端部に付される走行支持手段のローラに負荷をかけて移動面に沿って走行させるようにするので、全体を吊り上げるような操作を行わずして、被搬送物が長尺であっても無理なく搬送させることができることになり、揚重設備を備えていない場所での長尺物の荷扱いができるという効果を奏する。また、治具が搬送物に対して着脱可能であるから、使用後は取り外して他の搬送物に使用できるという利点がある。さらに、搬送された物品は運搬のための治具を撤去されて保管されるので、所定の位置に収容後位置ずれすることなく保管できる。
【００２１】
また、第５発明によれば、前記第４発明における治具のうち、被搬送物の先端部に取り付けられる走行支持手段がローラを備える走行支持機構と、被搬送物を抱持装着する取付フレームとが両者の結合する部分において水平回動可能にされているので、走行時にその走行支持機構を外部から向きを変える操作をすれば、簡単に走行方向を変えて搬送することができ、狭隘部において被搬送物を効率よく移動収納させる操作ができる。
【００２２】
またさらに、第６発明によれば、前記第４発明における治具のうち、被搬送物の先端部に配置する走行支持手段として、被搬送物が搬送ラックに保持される形式では、その搬送ラックの下部部材と係合するように構成することで、保持条件の異なる搬送物に対しても対応させることができる。
【００２３】
また、第７発明によれば、前記走行部材を外部から操舵レバーで操作できるので、搬送時に被搬送物の先端部の向きを変える操作が容易になり、作業性を向上させることができるという効果が得られる。
【００２４】
第８発明によれば、被搬送物を後部でフォークリフトによって移動操作させる際に、被搬送物を上げ下げする際、その被搬送物に装着されている部分とフォークリフトのフォークに係合する部分との変位を容易にして、無理なく操作できるという利点がある。
【発明を実施するための最良の形態】
【００２５】
次に、本発明による狭隘部への長尺部材の搬送方法をそれに用いる治具の具体的な実施の形態とともに、図面を参照しつつ説明する。
【００２６】
図１に示されるのは本発明にかかる長尺部材の搬送方法で用いられる治具が被搬送物に装着されている一態様を表わした図である。図２には治具として被搬送物先端部側に配置する走行支持手段の一実施形態を表わす全体斜視図が、図３には走行支持手段の台車と受け台との一部を断面して表わす正面図（ａ）と底面図（ｂ）が、図４には後部支持手段の斜視図が、それぞれ示されている。
【００２７】
まず、長尺部材を搬送するのに用いられる治具について説明する。この長尺部材１の搬送に用いられる治具としては、その長尺部材１（以下、被搬送物1という）の搬送時における前側に配置される走行支持手段１０と後部側に配置される後部支持手段２０とで構成されている。そして、前記走行支持手段１０は、下部にローラが配されるとともに操舵性を備えるものであり、前記後部支持手段２０は、搬送に際して走行力が伝達できる機能を備えるものである。
【００２８】
前記走行支持手段１０は、走行路面に接して転動させる複数のローラ１３を下部に付設される台車（本発明の走行部材に対応）１１と、この台車１１の上側に中央部で縦軸により操舵性が与えられて連結される受け台１６と、この受け台１６上に下端部を連結されて受け台１６上に受支される被搬送物１に取り外し可能に装着する取付フレーム１８とで構成されている。
【００２９】
前記台車１１は、外形が所要寸法の長方形にして上面を平坦にされ、裏面に凹部１２ａを備えるベース部材１２に、その裏面における長手方向の両側でそれぞれ複数のローラ１３が、外周の一部が露出するようにして支持軸１３ａの軸芯を長手方向に揃えて回転自在に配設されている。また、長手方向の一側面には中心から所要の間隔で二対のブラケット１４が直交して配設され、これらブラケット１４には操舵レバー３０の差込孔１４ａが軸心を揃えて前記ベース部材１２の側面に平行して設けてある。さらに、ベース部材１２の長手両端面に提げ手１５が取り付けられている。
【００３０】
また、前記受け台１６は、前記台車１１のベース部材１２とほぼ同様寸法で下面を平坦にして上側が凹部に形成され、その上側に長手方向の両端部で所要の間隔をおいて上向きに取付フレーム接続用のブラケット１６ａが一体に設けられ、この各ブラケット１６ａにも連結ピン１８ｆの挿入孔１６ｂが同軸芯で穿設されている。このようにされる受け台１６と前記台車１１とは両者の中央部に旋回ピン取付孔１６ｃ，１２ｂが設けられ、これらの旋回ピン取付孔１６ｃ，１２ｂに縦軸として連結ボルト１７が挿入され、台車１１側の裏面でナット１７ａによって回動可能に締結されている。なお、前記連結ボルト１７（旋回軸ピン）による連結部では、台車１１のベース部材１２上面と受け台１６の下面との間に旋回を容易にする座金状のスペーサ１７ｃを介在させてある。
【００３１】
前記取付フレーム１８は、被搬送物１の周囲を取り囲んで走行支持手段１０を装着できる内法に枠組みされ、上側を開放した形状になっている。この取付フレーム１８は、基端部に形成される接続片１８ａを前記受け台１６上側に設けられたブラケット１６ａと連結ピン１８ｆで回動可能に連結され、下部の被搬送物１を直接受支する受部材１８ｂを強固な部材にしてその両側に一体に設けられる側部材１８ｃ，１８ｃの上端には押え金具１９と回動容易にされたナット１８ｅとで締結して装着固定できるようにネジ軸１８ｄが上向きに突設されている。なお、前記押え金具１９は、両端部に前記ネジ軸１８ｄを挿通する孔部を備え、中間部は装着に際しての両端部における締結力を維持できるように剛性を備えた梁状のものである。
【００３２】
このような走行支持手段１０に対する後部支持手段２０は、被搬送物１を上側から抱えるようにして装着する取付フレーム２１と、この取付フレーム２１の上側で連結ピン２６で連結されて上部にフォークリフトのフォーク係合部が形成されて吊り上げ搬送力を付勢される支持フレーム２５とで構成されている。
【００３３】
このような後部支持手段２０における取付フレーム２１は、前記走行支持手段１０における取付フレーム１８とほぼ同様にして取付向きが異なる構造（受部材２２の両側に側部材２３が一対取り付けられて、開放側には先端にネジ軸２３ｂが固着され、梁状の押え金具２４の両端部に前記ネジ軸２３ｂを係合させてナット２３ｃで着脱可能に締結する構造）とされている。なお、前記取付フレーム２１は受部材２２の上側両端部において支持フレーム２５の基端部をピン２６連結するためのブラケット２３ａが設けられている。
【００３４】
前記支持フレーム２５は、基端を二股状の連結部２５ｂにして適宜長さ（高さ）の支持脚２５ａ一対を上端部で横向き支持梁２６と一体に結合されて門形に形成されており、その支持梁２６には所定の間隔でフォークリフトのフォーク係合孔２７（本発明におけるフォーク係合部に相当）が二個設けられている。なお、前記フォーク係合孔２７の上側縁には前後に突き出す案内片２７ａがそれぞれ付されている。
【００３５】
このように構成される本実施形態の治具（走行支持手段１０と後部支持手段２０）は、予め取り扱われる被搬送物１の形状が定まっている場合、その被搬送物１の主体部を抱え得る寸法に両支持手段１０，２０の取付フレーム１８，２１の寸法を整えたものを使用する。
【００３６】
ここで、長尺部材である被搬送物１が、例えば建設機械の一つである油圧ショベルのブームである場合について、完成された製品としてこれをドライコンテナ内に収容して輸送するときの搬送方法を、図５〜図８を参照しつつ説明する。
【００３７】
コンテナ６０への被搬送物１を収容する作業現場にあってクレーンなどの揚重機が設置されておらず、運搬機械としてフォークリフト６５のみが使用できる状況で作業を行う場合、コンテナ６０の定置箇所までの被搬送物１の移送を行うには、図５（ａ）に示されるように、被搬送物1をフォークリフト６５のフォーク６５ａによってその中央部を支持しながら所要位置まで運び込む。
【００３８】
次に、図５（ｂ）で示されるように、被搬送物１の先端部に走行支持手段１０を装着する。この走行支持手段１０を被搬送物１の先端部に装着するには、図２によって表わされるように、被搬送物１に対して、予め組立てられている台車１２と受け台１６の上側に連結ピン１８ｆによって取付フレーム１８を取り付けてある状態で、その取付フレーム１８の、左右の側部材１８ｃ，１８ｃ間に被搬送物１を受け入れて受部材１８ｂをその被搬送物１の下面にあてがい、上側から押え金具１９で挟み付けて、両側部材１８ｃ，１８ｃの上端のネジ軸１８ｄとナット１８ｅによって締結することにより装着する。
【００３９】
走行支持手段１０を装着された被搬送物１は、フォークリフト６５によってその先端部がコンテナ６０の開口部６１からやや内側に入って状態で荷降ろしする。そして、フォークリフト６５は、被搬送物１の先端部に装着した走行支持手段１０の台車１１をコンテナ６０の床面６２に着床させた状態（図６参照）で退避する。
【００４０】
次に、図７によって示されるように、被搬送物１の後部に後部支持手段２０を装着する。この後部支持手段２０を被搬送物１の後部に装着するには、図４によって表わされるように、被搬送物１に対して、取付フレーム２１を両側部材２３，２３間に被搬送物１が受け入れられるように上側からあてがい、受部材２２を被搬送物１の上面に当接させて下側から押え金具２４をあてがって、両側部材２３，２３の端部に取り付くネジ軸２３ｂにナット２３ｃを螺合させて締結することにより、まず取付フレーム２１を固定する。その後に取付フレーム２１上端のブラケット２３ａ，２３ａと支持フレーム２５の下端の連結部２５ｂとを連結ピン２６にて連結する。なお、後部支持手段２０は、予め取付フレーム２１と支持フレーム２５とを組み合わせた状態で装着するようにしてもよい。
【００４１】
こうして被搬送物１の後部に後部支持手段２０が装着されると、その支持フレーム２５を起立させて、上端部の支持梁２６に所定の間隔で設けられているフォーク係合孔２７，２７に、フォークリフト６５のフォーク６５ａを係合させる。この状態が図１によって示されている。
【００４２】
こうして走行支持手段１０および後部支持手段２０を装着された被搬送物１は、図８でコンテナに被搬送物を収容させる要領図によって示されるように、後部支持手段２０の支持フレーム２５をフォークリフト６５の運転操作によって被搬送物１の先端がコンテナ６０の床面６１に接触しない状態に持ち上げて（符号Ｅで表わす）、そのまま前方に移動させることにより、走行支持手段１０の台車１１がローラ１３の転動で無理なく移動する。したがって、フォークリフト６５を直進させることにより被搬送物１をコンテナ６０の内部にそのまま送り込むことができる（図８に符号Ｇで示す位置）。たとえば、予めコンテナ６０の内端部に木製板材（図示せず）を配置しておいて、被搬送物１の先端がその木製板材に当接する状態になるまで挿入するようにすれば、収納位置が確定できて効果的である。
【００４３】
被搬送物１が所定位置に達すると、フォークリフト６５のフォーク６５ａを上昇させて図８に符号Ｆで示されるように、被搬送物１の先端を床に接触させて走行支持手段１０の台車１１が床面６１から浮くようにして、走行支持手段１０にかかる負荷を除き、その後に取付フレーム１８と押え金具１９とによる装着を解いて、この走行支持手段１０を撤去する。その後に図８に符号Ｇで示されるように、フォークリフト６５の運転操作で後部支持手段２０を介して被搬送物１の後端を着床させる。被搬送物１が着床すると、フォークリフト６５を後退させて後部支持手段２０の支持フレーム２５からフォーク６５ａを外し、しかる後、取付フレーム２３と押え金具２４との固定を解き、後部支持手段２０を撤去する。こうして被搬送物１がコンテナ６０に収容されるのである。なお、コンテナ６０に対して収容する被搬送物１の寸法が適合するものであると、有効に収容することができる。
【００４４】
以上は１個の被搬送物１をコンテナ６０に収容する要領について説明したが、複数個の同一形状の被搬送物を収容する場合には、それらを配列して収容する必要がある。この場合、前述のようにフォークリフト６５によって被搬送物１の先端がコンテナ６０の開口部に臨ませる操作を行うときに、所要の位置となるように搬入させることになるが、そのままでは前述のような操作で予定通りの配置とすることが難しい。そこで、まず予定の位置に被搬送物１の先端部を臨ませて走行支持手段１０を装着させたならば、フォークリフト６５による被搬送物１の送り込み操作の途中で、台車１１の前側（走行支持手段１０を被搬送物に装着する際に、予め操舵レバー３０を装着するブラケット１４が手前側（コンテナの開口部側）となるようにしておく。）に設けられているブラケット１４に操舵レバー３０を取り付けて（図６参照）、この操舵レバー３０を作業者が左右に移動操作して台車１１の向きを変えることにより、受け台１６と台車１１とは中央部で旋回できるように連結されているので、被搬送物１を前進させると同時に、予定位置に収まるように操作することができる。
【００４５】
こうすることで、長尺部材である被搬送物１を前方にのみ開口するコンテナ６０の内部に無理なく収容させることができるのである。したがって、被搬送物１の寸法がコンテナ６０の内法に収まるものであれば、従来のスキッド上に載せて梱包された状態でコロなどを使用して収容していた場合と比較して、梱包を省略することにより余分な収容スペースを必要としていたものが少ないスペースを有効に利用することができ、運搬コストを著しく低減できることになる。また、作業現場に揚重機設備がないところでも全く無理なく作業することができると言う効果を奏する。
【００４６】
なお、コンテナ内部に収容されている長尺部材の被搬送物を外部に搬出する場合は、前述の搬入操作とほぼ逆の操作を行うことにより目的を達成することができる。
【００４７】
次に、図９に本発明の搬送方法による他の実施形態の被搬送物を搬送する手段を表わす概略図が示されている。
【００４８】
この実施形態の搬送方法は、前述の被搬送物よりも寸法的に短くて重量物である物品を対象としたもので、これを複数個まとめて搬送する場合について説明する。
【００４９】
この実施形態では、被搬送物１Ａを搬送するために上部を開放して、複数段に物品を積み重ねて移送するラックパレット形のコンテナ（以下、搬送ラック７０という）を用いる。この搬送ラック７０の前下部には、図１０によって示される走行支持手段１０Ａを着脱可能に装着できるようになっており、後下部にては横部材７１の下側にフォークリフトのフォーク６５ａを挿入して受支できる空間部が形成されている。なお、搬送ラック７０の四本の支柱７２の上端には、前記実施形態の取付フレーム１８と同様に、ネジ軸７３が上向きに突設されていて、押え梁７５を前記ネジ軸７３とナット７４との螺合締結で上部を固定できるようにされている。なお、搬送ラック７０の中間の受部材については、図示省略するが、公知の手段で支柱７２に対し着脱可能に連結支持される構成とされている。
【００５０】
前記走行支持手段１０Ａは、図１０に示されるように、台車１１と受部材３５とが旋回可能に中央部で連結された構成のもので、その台車１１は前記実施形態のものと同じ構造であり（符号は前記実施形態のものをそのまま付記している）、受部材３５は上部に搬送ラック７０の下部受梁７４へ下側から当接して負荷を受けて推力が伝達される係合部３６を、上側に備えた横梁部材にてなり、この受部材３５と前記台車１１とを中央部で旋回軸ピン１７で両者間に座金状のスペーサ１７ｃを介して水平回動自在に連結されている。
【００５１】
このように構成される搬送ラック７０は、それ自体が前記実施形態における後部支持手段に対応し、その下側前部に着脱可能に装着される走行支持手段１０Ａとで搬送装置としての役目をなす。
【００５２】
したがって、この実施形態では、搬送ラック７０に被搬送物１Ａを複数積み込んで、フォークリフトによってコンテナの長辺方向の中央部を短辺方向にフォークリフトのフォークによって下部を受支して持ち上げ搬送する。前記実施形態での説明のようにコンテナ６０に収容して輸送するには、そのコンテナ６０の開口部６１に先端部が臨むように複数の被搬送物１Ａを収容した搬送ラック７０を運搬して、その前下部に走行支持手段１０Ａを外部から差し込んで係合部３６を搬送ラック７０の下部受梁７４と係合させる。その後にフォークリフトを退避させて移動し、フォーク６５ａを搬送ラック７０の送入後部側で横部材７１の下部に挿入して持ち上げる。こうして走行支持手段１０Ａに負荷をかけながら前進させると、走行支持手段１０Ａの台車１１のローラ１３が転動して全体を前進させることができる。したがって、コンテナ６０内部の所要位置まで外部からフォークリフトで搬送ラック７０を押し込み、別途ハンド操作式の低揚程ジャッキなどを使用して搬送ラック７０の前部側を持ち上げて走行支持手段１０Ａを取り除く。その後に前記ジャッキを逆操作して搬送ラック７０を着床させ、そのジャッキを除くことにより収納が終了する。
【００５３】
このように、複数の被搬送物をコンテナに集合搭載して外部からコンテナ内部に簡単に搬入することができる。また、搬出する場合は、前述の搬入操作と逆の操作によって搬出することができる。
【００５４】
以上に説明した先の実施形態では、油圧ショベルのブームのような特殊な外形のものについて記載したが、直線状の長尺部材であっても同様にして搬送することができるのであり、またコンテナに対する搬入出に限らず、揚重機が使用できない場所で狭いスペースに長尺物を搬入出する場合において、本発明に趣旨に則して作業を実施すれば、無理なく搬送することが可能である。また、後の実施形態によって説明したように、長尺重量物あるいは長尺物を複数狭隘な場所に搬送する場合においても、他の形態の物品支持体を利用して同様な手段によって無理なく搬送することができる。
【００５５】
また、前記実施形態の説明では、後部支持手段２０とフォークリフト６５のフォーク６５ａとを、支持フレーム２５の上部に設けたフォーク係合孔にフォーク６５ａを挿入して持ち上げる方式について記載しているが、必要に応じてフォークリフトのフォークに代わる持ち上げ手段（例えばフォークリフトに付設する吊下げアームのようなアタッチメント）を用いるときには、支持フレーム２５をアタッチメントに対応した形状構造にして使用することができる。したがって、フォークリフトなどの荷役機械を使用して操作する場合、必ずしも後部支持手段の上部位置を持ち上げることにこだわらない。
【図面の簡単な説明】
【００５６】
【図１】本発明にかかる長尺部材の搬送方法で用いられる治具が被搬送物に装着されている一態様を表わした図
【図２】治具として被搬送物先端部側に配置する走行支持手段の一実施形態を表わす全体斜視図
【図３】走行支持手段の台車と受け台との一部を断面して表わす正面図（ａ）と底面図（ｂ）
【図４】後部支持手段の斜視図
【図５】本実施形態による被搬送物の搬送手順説明図（１）
【図６】本実施形態による被搬送物の搬送手順説明図（２）
【図７】本実施形態による被搬送物の搬送手順説明図（３）
【図８】コンテナに被搬送物を収容させる要領図
【図９】本発明の搬送方法による他の実施形態の被搬送物を搬送する手段を表わす概略図
【図１０】走行支持手段の他の実施形態を表わす正面図（ａ）とそのＡ−Ａ視図（ｂ）
【符号の説明】
【００５７】
１，１Ａ        被搬送物
１０，１０Ａ    走行支持手段
１１            台車（走行部材）
１２            ベース部材
１３            ローラ
１６            受け台
１７            連結ボルト（旋回軸ピン）
１７ｃ          スペーサ
１８，２１      取付フレーム
１９，２４      押え金具
２０            後部支持手段
２５            支持フレーム
２６            支持梁
２７            フォーク係合孔
３０            操舵レバー
６０            コンテナ
６１            コンテナの開口部
６２            コンテナの床面
６５            フォークリフト
６５ａ          フォーク
７０            搬送ラック
７１            横部材
７４            下部受梁
【図１】
2005075580.tif 000003
【図２】
2005075580.tif 000004
【図３】
2005075580.tif 000005
【図４】
2005075580.tif 000006
【図５】
2005075580.tif 000007
【図６】
2005075580.tif 000008
【図７】
2005075580.tif 000009
【図８】
2005075580.tif 000010
【図９】
2005075580.tif 000011
【図１０】
2005075580.tif 000012